(57)【特許請求の範囲】
【請求項１】
外表面が滑りにくく柔軟性及び耐久性を有し、ショルダーパッドの形状に保形された表皮と、
上記表皮内に収納され、外圧に対し変形速度の遅いクッション材と、
上記ショルダーパッドの形状を保形すると共に、カメラ本体部にねじ固定するための分離可能の骨部材と
から構成したことを特徴とするビデオカメラのショルダーパッド。
【請求項２】
請求項１記載のビデオカメラのショルダーパッドにおいて、
上記クッション材は、上記表皮に形成した開口部からショルダーパッドの形状に成形されたクッション材を収容するようにしたことを特徴とするビデオカメラのショルダーパッド。
【請求項３】
請求項１記載のビデオカメラのショルダーパッドにおいて、
上記骨部材は、上記表皮に形成した開口部から挿入され開口部裏面に配置した下部骨板と、下部骨板に対応して配置した上部骨板とをねじ固定して上記表皮を挟持固定し、上記両骨板を上記カメラ本体部にねじ固定することを特徴とするビデオカメラのショルダーパッド。
【発明の詳細な説明】
【０００１】
【発明の属する技術分野】
本発明は、業務用のビデオカメラを肩に担いでホールドするときのショルダーパッドに関し、詳しくは、ショルダーパッドを表皮とクッション材と骨部材との３部材から構成することによって、滑りにくく、しかも耐久性を有すると共に肩へのフィット感を向上すると共に、各構成部品を分離可能にし再利用が図れるようにしたものである。
【０００２】
【従来の技術】
図１１に業務用ビデオカメラの側面図を示し、図１２にショルダーパッドの斜視図を示す。
この種、ビデオカメラには本体部１の底面部にショルダーパッド５０を備え、ショルダーパッド５０は比較的に重量のあるビデオカメラをカメラマンが肩に担いで撮影するためクッション性を有する部材からできている。
【０００３】
一般に従来のショルダーパッドとしてウレタンフォーム素材を発泡成形し、表面材としての表皮５０ａと内部クッション５０ｂとを一体に成形して製作したものがある。また、ショルダーパッドの発泡成形に際して金属材等の骨材５１がインサート成形され、ショルダーパッドの肩当て面の一部に形成した凹み部５２からねじ５３で骨材５１をビデオカメラの本体部１にねじ締めして固定される。
【０００４】
【発明が解決しようとする課題】
ところで、このようなショルダーパッドは、表皮５０ａの柔軟性を高めて肩にフィットするような柔らかさに設定すると、表皮５０ａの耐久性が損なわれるといった問題が有る。しかも、成形時における表皮５０ａの欠陥も増え製品歩留りも低下する原因となる。
【０００５】
また、表皮５０ａの耐久性を高めるため、硬めに成形すると肩へのフィット感が損なわれる。しかも、ウレタンフォームで成形された表皮は表面が滑り易いので、肩へのホールド性がよくないといった問題もある。
【０００６】
さらに、骨材５１がインサート成形されたショルダーパッドは、部品回収の際の分別が困難となるため資源の再利用が不可能であった。
【０００７】
本発明は、上述したような課題を解消するためになされたもので、カメラマンがビデオカメラを担いだときにショルダーパッドが滑りにくく、かつフィット感が向上すると共に耐久性を高めることのでき、しかも、各構成部品を分離可能にし再利用が図れるようにしたビデオカメラのショルダーパッドを得ることを目的とする。
【０００８】
【課題を解決するための手段】
上述の目的を達成するため、本発明によるビデオカメラのショルダーパッドは、外表面が滑りにくく柔軟性及び耐久性を有する表皮からなり、この表皮内に外圧に対し変形速度の遅いクッション材を収納し、カメラ本体部にねじ固定するための分離可能な骨部材を備えたものである。
【０００９】
このように構成したことにより、表皮として滑りにくく柔軟性及び耐久性を有する表皮部材を選択使用することができるので、ショルダーパッドの肩へのフィット感を向上することができると共に、外観の体裁及び耐久性を高めることができる。また、表皮とクッション材及び骨部材が分離可能であることから廃棄された際の分別が可能となるので、資源の再利用が図れる。
【００１０】
【発明の実施の形態】
本発明によるビデオカメラのショルダーパッドの実施の形態を図面を参照して説明する。
【００１１】
〔第１の実施の形態〕
図１は本例による業務用ビデオカメラの全体の側面図、図２はショルダーパッドの平面図、図３は図２のＡ−Ａ線断面図、図４は同じくＢ−Ｂ線断面図、図５及び図６は要部部材を分離したそれぞれの斜視図である。
【００１２】
図１において、ビデオカメラ本体部１の底面に本例によるショルダーパッド２が備えられている。ショルダーパッド２は表皮３と、この表皮３内に収納されたクッション４とショルダーパッド２をビデオカメラ本体部１に固定する骨材５から構成されている。
【００１３】
以下、上述した各構成部材の詳細について説明する。
表皮３はショルダーパッド２の外皮を構成するもので、滑りにくく柔軟性及び耐久性を有する例えば、軟質塩化ビニルやゴム材あるいはプラスチック材等から成形加工されている。表皮３の成形方法としては回転成形やその他、ブロー成形により行われ、ショルダーパッド２の外形状に袋状に保形されている。
【００１４】
このように成形された表皮３の上面（ビデオカメラ本体部１に接する側の面部）には四角形状の開口部６が開口されており、この開口部６の両側縁部にねじが挿通される複数の小孔７が形成されている。また、表皮３の底部（カメラマンの肩に当たる面部）のほぼ中央部に長孔状の隆起する凹部８が形成されている。この凹部８は表皮３の開口部６に達するようにされ、この面部にねじが挿通される小孔８ａ，８ａが形成されている。
【００１５】
クッション４は急な荷重に対して変形速度の遅い発泡成形した軟質のウレタンフォームが使用される。このクッション４は上述した表皮３内に形状一致して収納されるもので、このため、中央部に表皮３の隆起状の凹部８を避ける開口孔９を有している。
【００１６】
一方、骨材５はプチスチック材あるいは金属の板金材からなり、表皮３内に収容される２枚の下部骨板１０，１１と、表皮３の上から下部骨板１０，１１に組付けられる上部骨板１２とから構成されている。
【００１７】
下部骨板１０，１１はショルダーパッド２の前後部分に分離して配置され、表皮３の開口部６に対応して位置する平坦部１０ａ，１１ａと、表皮３の裏面に沿って装入され、当該表皮３の形状を保形する曲面部１０ｂ，１１ｂを有する。また、平坦部１０ａ、１１ａの一部には表皮３の隆起状の凹部８を逃げる切欠部１０ｃ，１１ｃを有し、両平坦部１０ａ，１１ａに複数のボルト１３，１３が植立されている。
【００１８】
上部骨板１２は下部骨板１０，１１の平坦部１０ａ，１１ａに対応して組付けられる平板であり、両側縁部に上述したボルト１３が挿入される孔１２ａが形成されている。また、中央部には表皮３の凹部８の小孔８ａ，８ａと一致する孔１２ｂが形成されている。
【００１９】
次に、ショルダーパッド２の組み立て手順を図７及び図８を含めて説明する。まず、回転成形等により成形された図７に示した表皮３内にクッション４が収納される。クッション４は軟質の発泡ウレタンからなるので、圧迫させて小形体に収縮させながらクッション４の開口孔９を隆起状の凹部８に位置合わせさせ表皮３内に収納する。この後、収納されたクッション４はそれ自体の復元力により元の形状に復元し表皮３内に形状一致して収納される。この際、クッション４は軟質の発泡ウレタンから成形されているが、損傷することもなく容易に収納することができる。
【００２０】
クッション４の収納後、前側と後ろ側の２枚の下部骨板１０，１１が表皮３とクッション４との間にそれぞれ装入すると共に（図８参照）、両骨板１０，１１の各ボルト１３を表皮３の小孔７に挿入する。このあと、上部骨板１２の各孔１２ａをボルト１３に通して表皮３の上から当該上部骨板１２を重ね、各ボルト１３にナット１４を締めつけて固定する（図３参照）。これによって、下部骨板１０，１１と上部骨板１２とで表皮３の開口部６の縁部が挟み付けられ、両骨板１０，１１と表皮３との一体化を図ることができる。また、両骨板１０，１１の取り付けによってショルダーパッド２全体の形状が型崩れすることもない。
【００２１】
かくして、上述のように組み立てられたショルダーパッド２は、ビデオカメラ本体部１の底部に形成されている凹み部１ａに組付けられ、表皮３の凹部８から小孔８ａ，８ａ及び上部骨板１２の孔１２ａ，１２ａを通じてねじ１５，１５をビデオカメラ本体部１にねじ込むことで固定することができる。
【００２２】
このように構成した本発明によるショルダーパッドは、クッション４とは別部材で、滑りにくく柔軟性及び耐久性のよい表皮３を使用したことにより、ビデオカメラをカメラマンが肩に担いだとき、肩からショルダーパッドが滑ることもなく安定してホールドすることができる。また、クッション４の弾性変形作用により肩の形状によく馴染みフィット感が得られるので、長時間のカメラ撮影においても肩に負担がかかることもない。
【００２３】
例えば、ビデオカメラのレンズの重量の違いによりビデオカメラ全体の重心が移動しても、図１に示すようにショルダーパッド２は肩の当たる位置によってクッション４が点線で示したように変形する部分が２ａ，２ｂのように自由に変わるため、カメラマンにとって非常に担ぎやすいショルダーパッドとなる。
【００２４】
さらに、本発明のショルダーパッドはねじ１５を取り外すことでビデオカメラ本体部１から外すことができ、しかも、ナット１４を取り外すことによってショルダーパッド２が表皮３、クッション４、上下の骨板１０，１１及び１２とに分離することができるため、ショルダーパッド２が部品回収の際の分別が容易にでき、この結果、資源の再利用が可能となる。
【００２５】
〔第２の実施の形態〕
図９はビデオカメラへショルダーパッドを固定した断面図、図１０は構成部材を分離したそれぞれの斜視図である。
【００２６】
図において、ビデオカメラ本体部１の底面に取り付けられるショルダーパッド２０は表皮２１と、この表皮２１内に収納されるクッション２２とショルダーパッド２０をビデオカメラ本体部１に固定する骨材２３から構成されている。
【００２７】
以下、上述した各構成部材の詳細について説明する。
表皮２１はショルダーパッド２０の外皮を構成するもので、滑りにくく柔軟性及び耐久性を有する例えば、軟質塩化ビニルやゴム材あるいはプラスチック材等から成形加工されている。表皮２１の成形方法としては回転成形やその他、ブロー成形等により行われ、ショルダーパッド２０の外形状に袋状に保形されている。
【００２８】
このように成形された表皮２１の上面（ビデオカメラ本体部１に接する側の面部）には四角形状の開口部２４が開口されており、この開口部２４の周縁部にねじが挿通される複数の小孔２５及び表皮２１の斜面に小孔２５ａが形成されている。また、表皮２１の底部（カメラマンの肩に当たる面部）に隆起する凹部２６が形成されている。この凹部２６は表皮２１の開口部２４に達するようにされ、この面部にねじが挿通される小孔２６ａが形成されている。
【００２９】
クッション２２は急な荷重に対して変形速度の遅い発泡成形した軟質のウレタンフォームが使用される。このクッション２２は上述した表皮２１内に形状一致して収納されるもので、表皮２１の隆起状の凹部２６を避ける開口孔２７を有している。
【００３０】
一方、骨材２３はプチスチック材あるいは金属の板金材からなり、表皮２１内に収容される下部骨板２８と、表皮２１の上から下部骨板２８に組付けられる上部骨板２９とから構成されている。
【００３１】
下部骨板２８は表皮２１の開口部２４に対応して位置する枠状の平坦部３０と、表皮２１の裏面に沿って装入され、当該表皮２１の後方側の形状を保形する袖板部３１を有する。また、平坦部３０には表皮２１の小孔２５と対応する位置に複数のボルト３２が植立され、ボルト３２以外はねじ孔３３が開口している。このねじ孔３３とは別に表皮２１の斜面の小孔２５ａ及び隆起する凹部２６の小孔２６ａと対応する位置にそれぞれねじ孔３３ａ，３３ｂが開口している。
【００３２】
上部骨板２９は下部骨板２８の平坦部３０と対応して組付けられる枠状の平坦部３４と、袖板部３１に対応して組付けられる袖板部３５を有する。この袖板部３５の端部にねじ孔３６を有する取付脚３７を備えている。平坦部３４の周縁部には上述したボルト３２が挿入される孔３８及びねじ孔３３と一致するねじ孔３９が開口している。また、袖板部３５には下部骨板２８のねじ孔３３ａと一致するねじ孔４０が開口され、平坦部３４には小片４１を延出し、この小片４１に下部骨板２８のねじ孔３３ｂと一致するねじ孔４２が開口している。
【００３３】
次に、ショルダーパッド２０の組み立て手順について説明する。
まず、回転成形等により成形された表皮２１内にクッション２２が収納される。クッション２２は軟質の発泡ウレタンからなるので、圧迫させて小形体に収縮させながらクッション２２の開口孔２７を隆起状の凹部２６に位置合わせさせ表皮２１内に収納する。この後、収納されたクッション２２はそれ自体の復元力により元の形状に復元し表皮２１内に形状一致して収納される。
【００３４】
クッション２２の収納後、下部骨板２８を表皮２１の裏面とクッション２２との間に装入すると共に、下部骨板２８の各ボルト３２を表皮２１の小孔２５に挿入する。このあと、上部骨板２９の孔３８をボルト３２に通して表皮２１の上から当該上部骨板２９を重ね、各ボルト３２にナット４３を締めつけて固定する。さらに、上部骨板２９の上からねじ４４を各ねじ孔３９、表皮２１の小孔２５を通して下部骨板２８のねじ孔３３にねじ締めすると共に、上部骨板２９の袖板部３５のねじ孔４０から表皮２１の小孔２５ａを通して下部骨板２８の袖板部３１のねじ孔３３ａにねじ４５をねじ締めする。これによって、下部骨板２８の平坦部３０及び袖板部３１と上部骨板２９の平坦部３４及び袖板部３５とで表皮２１が挟み付けられ、両骨板２８，２９と表皮２１との一体化を図ることができる。
【００３５】
かくして、上述のように組み立てられたショルダーパッド２０は、ビデオカメラ本体部１の底部に形成されている凹み部１ａに組付けられ、表皮２１の凹部２６から小孔２６ａ、下部骨板２８のねじ孔３３ｂ及び上部骨板２９のねじ孔４２を通してねじ４６をビデオカメラ本体部１にねじ込み、さらに、上部骨板２９の取付脚３７をねじ４７でビデオカメラ本体部１にねじ込んで固定される。
【００３６】
このように構成したショルダーパッドは、前述した第１の実施の形態と同様に表皮２１がクッション４とは別部材で、滑りにくく柔軟性及び耐久性のよい部材から製作されているので、ビデオカメラをカメラマンが肩に担いだとき、肩からショルダーパッドが滑ることもなく安定してホールドすることができる。また、クッション２２として軟質の発泡ウレタン樹脂からできているため、クッション２２の弾性変形作用により肩の形状によく馴染みフィット感が得られるので、長時間のカメラ撮影においても肩に負担がかかることもない。
【００３７】
さらに、本発明のショルダーパッドはねじ４６，４７を取り外すことでビデオカメラ本体部１から外すことができ、しかも、ナット４３及びねじ４４を取り外すことによってショルダーパッド２０が表皮２１、クッション２２、上下の骨板２８，２９とに分離することができるため、ショルダーパッド２０が部品回収の際の分別が容易にでき資源の再利用が図れる。
【００３８】
本発明は、上述しかつ図面に示した形態に限定されるものでなく、その要旨を逸脱しない範囲内で種々の変形実施が可能である。
【００３９】
第１の実施の形態において、下部骨板１０，１１は前後２枚の場合について説明したが、表皮３の隆起状の凹部８を逃げる開口を有するようにすれば一体成形したものでもよい。
【００４０】
また、隆起状の凹部８は長孔状に限ることなく２つの独立した凹部とし、それぞれの凹部からねじを通して上部骨板１２をビデオカメラ本体部にねじ固定することであってもよい。これによって、ショルダーパッド２０の肩に当たる面積が広くなり、ホールド性を高めることができる。
【００４１】
また、第２の実施の形態において、下部骨板２８及び上部骨板２９にショルダーパッドの前側にもそれぞれ袖板部を延出し、前側の表皮２１の部分を挟持するようにすれば、ショルダーパッドの型崩れの防止が可能となると共に、この部分をビデオカメラ本体部にねじ固定すれば一層、ショルダーパッドの取り付け強度を向上することができる。
【００４２】
【発明の効果】
以上説明したように本発明によるビデオカメラのショルダーパッドは、外表面が滑りにくく柔軟性及び耐久性を有する表皮からなり、表皮内に外圧に対し変形速度の遅いクッション材を収納し、カメラ本体部にねじ固定するための骨部材を備えたことによって、ビデオカメラをカメラマンが肩に担いだとき、肩からショルダーパッドが滑ることもなく安定してホールドすることができる。また、クッションの弾性変形作用により肩の形状によく馴染みフィット感が得られるので、長時間のカメラ撮影においても肩に負担がかかることもないといった効果がある。さらに、ショルダーパッドは表皮、クッション、骨材とに分離することができるので、部品回収の際の分別が容易にでき資源の再利用が可能となるといった効果もある。
【００４３】
また、請求項２において、表皮の開口部からショルダーパッドの形状に成形されたクッション材を収容するようにしたので、クッション材が損傷することなく収容作業を容易かつ確実に行うことができる。また、クッション材の取り出し作業も容易に行うことができる。
【００４４】
また、請求項３において、骨部材として表皮の開口部から挿入されて表皮の背面部裏面に配置される下部骨板と、下部骨板の上から配置された上部骨板とをねじ固定して表皮を挟持し、両骨板をカメラ本体部にねじ固定するようにしたので、表皮が型崩れすることもなくショルダーパッド全体の形状をも保形することができる。
【図面の簡単な説明】
【図１】本発明によるショルダーパッドを備えたビデオカメラの側面図である。
【図２】第１の実施形態のショルダーパッドの平面図である。
【図３】図２のＡ−Ａ線における断面図である。
【図４】同じく図２のＢ−Ｂ線における断面図である。
【図５】第１の実施形態における表皮とクッションの斜視図である。
【図６】同じく骨材の斜視図である。
【図７】表皮の断面図である。
【図８】ショルダーパッド組付け途中の断面図である。
【図９】第２の実施形態のおけるショルダーパッドの断面図である。
【図１０】同じく構成部品の分離状態の斜視図である。
【図１１】従来のショルダーパッドを備えたビデオカメラの側面図である。
【図１２】同じくショルダーパッドの一部破断した斜視図である。
【符号の説明】
１  ビデオカメラ本体部、２  ショルダーパッド、３  表皮、４  クッション、５  骨材、６  開口部、７  小孔、８  隆起状の凹部、８ａ  小孔、９  開口孔、１０，１１  下部骨板、１０ａ，１１ａ  平坦部、１０ｂ，１１ｂ  曲面部、１２  上部骨板、１２ａ，１２ｂ  ねじ孔、１３  ボルト、１４  ナット、１５  ねじ、２０  ショルダーパッド、２１  表皮、２２  クッション、２３  骨材、２４  開口部、２５，２５ａ  小孔、２６  隆起状の凹部、２６ａ  小孔、２７  開口孔、２８  下部骨板、２９  上部骨板、３０，３４  平坦部、３１，３５  袖板部、３２  ボルト、３３，３３ａ，３３ｂ  ねじ孔、３７  取付脚、３８，３９，４０，４２  ねじ孔、４３  ナット、４４，４５，４６，４７  ねじ
【図１】
0003736083.tif 000002
【図２】
0003736083.tif 000003
【図３】
0003736083.tif 000004
【図４】
0003736083.tif 000005
【図５】
0003736083.tif 000006
【図６】
0003736083.tif 000007
【図７】
0003736083.tif 000008
【図８】
0003736083.tif 000009
【図９】
0003736083.tif 000010
【図１０】
0003736083.tif 000011
【図１１】
0003736083.tif 000012
【図１２】
0003736083.tif 000013